(57)【要約】      （修正有）【課題】商品を購入する場合に、購入者に興味のある情報を表示することで販売を促進することができる自動販売機の制御装置を提供する。【解決手段】リモコン２にて割引金額記憶手段５に割引金額と表示時刻記憶手段に割引金額表示する時刻を入力し、演算制御部４ｂはタイマーにて計数する時刻が表示時刻記憶手段に記憶している時刻になると割引価格記憶手段に記憶している割引価格表示手段３ｂに表示することで、販売を促進することができる。【選択図】図１
2010157175.tif 000002
【特許請求の範囲】
【請求項１】
複数の商品に対応して設けられた商品選択手段と前記複数の商品の販売価格を入力する販売価格入力手段と販売価格の割引価格を記憶する割引価格記憶手段と前記複数の商品選択手段にそれぞれ対応させて設けられた販売価格表示手段と一定期間の時刻を記憶する表示時刻記憶手段と日時を設定できるタイマ手段に接続された演算制御部を備え、前記演算制御部は、販売価格表示手段に表示する販売価格を表示時刻記憶手段に設定されている時間のみ割引価格を表示することを特徴とした自動販売機の制御装置。
【請求項２】
複数の商品に対応して設けられた商品選択手段と前記複数の商品の温度を検出する商品温度検知手段と前記複数の商品選択手段にそれぞれ対応させて設けられた商品温度表示手段に接続された演算制御部を備え、前記演算制御部は、商品温度検知手段にて検知した商品温度を商品温度表示手段に表示することを特徴とした自動販売機の制御装置。
【請求項３】
複数の商品に対応して設けられた商品選択手段と前記複数の商品の販売個数を計数する販売個数計数手段と前記販売個数計数手段で計数した販売個数の多い順に順位を決定する順位決定手段と前記複数の商品選択手段にそれぞれ対応させて設けられた販売個数順位表示手段に接続された演算制御部を備え、前記演算制御部は、商品毎に販売個数を計数した結果に基づき、販売個数の多い順番に順位を販売個数順位表示手段に表示することを特徴とした自動販売機の制御装置。
【請求項４】
複数の商品に対応して設けられた商品選択手段と前記商品選択手段が操作されたことにより、もう１本を無償で提供する抽選手段と前記抽選手段で当選した場合に前記複数の商品選択手段にそれぞれ対応させて設けられたあたりを表示するあたり表示手段に接続された演算制御部を備え、前記演算制御部は、前記商品選択手段が操作されるともう１本を無償で提供するかしないかを判断する抽選手段を動作させ、あたり表示手段にあたりを表示することを特徴とした自動販売機の制御装置。
【請求項５】
複数の商品に対応して設けられた商品選択手段と前記商品選択手段が操作されたことにより占いを行う占い手段と占い手段で判定した結果を前記複数の商品選択手段にそれぞれ対応させて設けられた占い表示手段に表示する演算制御部を備え、前記演算制御部は、前記商品選択手段が操作されると占い手段を動作させ、占いの結果を占い表示手段に表示することを特徴とした自動販売機の制御装置。
【発明の詳細な説明】
【技術分野】
【０００１】
本発明は、自動販売機の表示手段の制御に関するものである。
【背景技術】
【０００２】
従来の自動販売機における制御装置には、自動販売機の内部に複数の商品を収納する複数のコラムとその前扉に設けられた商品展示部に組み込まれた複数のデジタル表示器付き商品選択釦を備えている。これらの商品選択釦は商品展示部に展示されている商品見本のそれぞれに対応させて設けられているもので、商品コラムの商品の選択と販売価格を表示する役割を担うものがある（例えば、特許文献１参照）。
【０００３】
以下、図面を参照しながら、従来の自動販売機について説明する。
【０００４】
図１１は従来による自動販売機の制御装置のブロック図である。図１２は、同実施の自動販売機の制御装置の動作を示すフローチャートである。
【０００５】
図１１において、１は商品を選択する商品選択釦、２は演算制御装置４ａに対しての操作端末（リモートコントロール）、３ａは販売価格を表示する７セグメント型のＬＥＤからなる４桁のデジタル表示器、４ａは表示の制御を行う演算制御装置である。
【０００６】
以上のように構成された自動販売機の制御装置について、以下その動作を図１２のフローチャートをもとにして説明する。
【０００７】
各商品選択釦１に対して販売価格の設定を行う場合には、先ず各商品選択釦１のそれぞれに設定されている販売価格データを各商品選択釦１に組み込まれたデジタル表示器４ａを用いて一斉に表示する（ステップ１）。その後、操作端末２を介して新たに設定すべき販売価格データを入力し（ステップ２）、その販売価格を設定すべき商品選択釦１を選択する（ステップ３）。このとき、選択された商品選択釦１のデジタル表示器３ａに、上述した新たに設定した販売価格を表示する（ステップ４）。そして、このような販売価格の設定処理を、販売価格データの変更と、この販売価格データの変更後における商品選択釦１の選択を繰り返しながら、全ての商品選択釦１に新たな販売価格が設定されるまで繰り返し実行する（ステップ５）。
【特許文献１】特開２００２−２３６９６４号公報
【発明の開示】
【発明が解決しようとする課題】
【０００８】
しかしながら、上記従来の構成では、デジタル表示器に販売価格を表示するだけで、その他購入者の興味のある情報を表示できないという課題を有していた。
【０００９】
本発明は、上記従来の課題を解決するもので、購入者に興味のある情報を表示することで販売を促進することができる自動販売機の制御装置を提供することを目的とする。
【課題を解決するための手段】
【００１０】
上記従来の課題を解決するために、本発明の自動販売機の制御装置は、複数の商品に対応して設けられた商品選択手段と前記複数の商品の販売価格を入力する販売価格入力手段と販売価格の割引価格を記憶する割引価格記憶手段と前記複数の商品選択手段にそれぞれ対応させて設けられた販売価格表示手段と一定期間の時刻を記憶する表示時刻記憶手段と日時を設定できるタイマ手段に接続された演算制御部を備え、前記演算制御部は、販売価格表示手段に表示する販売価格を表示時刻記憶手段に設定されている時間のみ割引価格を表示するものである。
【００１１】
これによって、タイムサービス等の時間帯に割引価格を設定、表示することができ、販売を促進することができる。
【００１２】
また、本発明の自動販売機の制御装置は、複数の商品に対応して設けられた商品選択手段と前記複数の商品の温度を検出する商品温度検知手段と前記複数の商品選択手段にそれぞれ対応させて設けられた商品温度表示手段に接続された演算制御部を備え、前記演算制御部は、商品温度検知手段にて検知した商品温度を商品温度表示手段に表示するものである。
【００１３】
これによって、購入時の商品温度を表示することで、消費者は温度の商品を確認しながら購入することができ、販売を促進することができる。
【００１４】
また、本発明の自動販売機の制御装置は、複数の商品に対応して設けられた商品選択手段と前記複数の商品の販売個数を計数する販売個数計数手段と前記販売個数計数手段で計数した販売個数の多い順に順位を決定する順位決定手段と前記複数の商品選択手段にそれぞれ対応させて設けられた販売個数順位表示手段に接続された演算制御部を備え、前記演算制御部は、商品毎に販売個数を計数した結果に基づき、販売個数の多い順番に順位を販売個数順位表示手段に表示するものである。
【００１５】
これによって、販売個数の多い順に表示することで、消費者は人気商品がわかり、販売を促進することができる。
【００１６】
また、本発明の自動販売機の制御装置は、複数の商品に対応して設けられた商品選択手段と前記商品選択手段が操作されたことにより、もう１本を無償で提供する抽選手段と前記抽選手段で当選した場合に前記複数の商品選択手段にそれぞれ対応させて設けられたあたりを表示するあたり表示手段に接続された演算制御部を備え、前記演算制御部は、前記商品選択手段が操作されるともう１本を無償で提供するかしないかを判断する抽選手段を動作させ、あたり表示手段にあたりを表示するものである。
【００１７】
これによって、あたりを表示することで、購入者にあたりであることを確実に知らせることができ、販売を促進することができる。
【００１８】
また、本発明の自動販売機の制御装置は、複数の商品に対応して設けられた商品選択手段と前記商品選択手段が操作されたことにより占いを行う占い手段と占い手段で判定した結果を前記複数の商品選択手段にそれぞれ対応させて設けられた占い表示手段に表示する演算制御部を備え、前記演算制御部は、前記商品選択手段が操作されると占い手段を動作させ、占いの結果を占い表示手段に表示するものである。
【００１９】
これによって、占いを表示することで、購入者の興味をそそり、販売を促進することができる。
【発明の効果】
【００２０】
本発明の自動販売機の制御装置は、商品選択釦に組み込まれた表示手段であるデジタル表示器に購入者が興味のある情報を表示することで、販売を促進することができる。
【発明を実施するための最良の形態】
【００２１】
請求項１に記載の発明は、複数の商品に対応して設けられた商品選択手段と前記複数の商品の販売価格を入力する販売価格入力手段と販売価格の割引価格を記憶する割引価格記憶手段と前記複数の商品選択手段にそれぞれ対応させて設けられた販売価格表示手段と一定期間の時刻を記憶する表示時刻記憶手段と日時を設定できるタイマ手段に接続された演算制御部を備え、前記演算制御部は、販売価格表示手段に表示する販売価格を表示時刻記憶手段に設定されている時間のみ割引価格を表示するものであり、タイムサービス等の時間帯に割引価格を設定、表示することができ、販売を促進することができる。
【００２２】
請求項２に記載の発明は、複数の商品に対応して設けられた商品選択手段と前記複数の商品の温度を検出する商品温度検知手段と前記複数の商品選択手段にそれぞれ対応させて設けられた商品温度表示手段に接続された演算制御部を備え、前記演算制御部は、商品温度検知手段にて検知した商品温度を商品温度表示手段に表示するものであり、購入時の商品温度を表示することで、消費者は温度の商品を確認しながら購入することができ、販売を促進することができる。
【００２３】
請求項３に記載の発明は、複数の商品に対応して設けられた商品選択手段と前記複数の商品の販売個数を計数する販売個数計数手段と前記販売個数計数手段で計数した販売個数の多い順に順位を決定する順位決定手段と前記複数の商品選択手段にそれぞれ対応させて設けられた販売個数順位表示手段に接続された演算制御部を備え、前記演算制御部は、商品毎に販売個数を計数した結果に基づき、販売個数の多い順番に順位を販売個数順位表示手段に表示するものであり、販売個数の多い順に表示することで、消費者は人気商品がわかり、販売を促進することができる。
【００２４】
請求項４に記載の発明は、複数の商品に対応して設けられた商品選択手段と前記商品選択手段が操作されたことにより、もう１本を無償で提供する抽選手段と前記抽選手段で当選した場合に前記複数の商品選択手段にそれぞれ対応させて設けられたあたりを表示するあたり表示手段に接続された演算制御部を備え、前記演算制御部は、前記商品選択手段が操作されるともう１本を無償で提供するかしないかを判断する抽選手段を動作させ、あたり表示手段にあたりを表示するものであり、あたりを表示することで、購入者にあたりであることを確実に知らせることができ、販売を促進することができる。
【００２５】
請求項５に記載の発明は、複数の商品に対応して設けられた商品選択手段と前記商品選択手段が操作されたことにより占いを行う占い手段と占い手段で判定した結果を前記複数の商品選択手段にそれぞれ対応させて設けられた占い表示手段に表示する演算制御部を備え、前記演算制御部は、前記商品選択手段が操作されると占い手段を動作させ、占いの結果を占い表示手段に表示するものであり、占いを表示することで、購入者の興味をそそり、販売を促進することができる。
【００２６】
以下、本発明の実施の形態について、図面を参照しながら説明する。なお、この実施の形態によってこの発明が限定されるものではない。
【００２７】
（実施の形態１）
図１は本発明の実施の形態１による自動販売機の制御装置の機能ブロック図である。図２は、同実施の形態の動作を示すフローチャートである。
【００２８】
図１において、５は割引価格を記憶する割引価格記憶手段である。６は割引価格の表示時刻を記憶する表示時刻記憶手段である。７は一定期間の日時を計数するタイマーである。３ｂは割引価格を表示する割引価格表示手段である。４ｂは一定時刻になると割引価格記憶手段５の割引価格を割引価格表示手段３ｂに表示する演算制御部である。
【００２９】
以上のように構成された自動販売機の制御装置について、以下その動作を図２のフローチャートをもとにして説明する。
【００３０】
まず、リモコン２にて割引金額記憶手段５にそれぞれの割引金額を入力する（ステップ６）。次にリモコン２にて表示時刻記憶手段６に割引金額表示する時刻を入力する（ステップ７）。演算制御部４ｂはタイマーにて計数する時刻が表示時刻記憶手段６に記憶している時刻になると（ステップ８）、割引価格記憶手段５に記憶している割引価格を表示手段３ｂに表示する（ステップ９）。
【００３１】
以上のように本実施の形態１の自動販売機の制御装置によれば、タイムサービス等の時間に割引価格を表示することで、販売を促進することができる。
【００３２】
（実施の形態２）
図３は本発明の実施の形態２による自動販売機の制御装置の機能ブロック図である。図４は、同実施の形態の動作を示すフローチャートである。
【００３３】
図３において、８は商品の温度を検出する商品温度検出手段ある。３ｃは商品温度を表示する商品温度表示手段である。４ｃは商品温度検出手段８で検出した温度を商品温度表示手段に表示する演算制御部である。
【００３４】
以上のように構成された自動販売機の制御装置について、以下その動作を図４のフローチャートをもとにして説明する。
【００３５】
まず、商品温度検出手段８は、各商品の温度を検出する（ステップ１０）。検出した各商品の温度は、演算制御部４ｃが商品温度表示手段３ｃに表示する（ステップ１１）。
【００３６】
以上のように本実施の形態２の自動販売機の制御装置によれば、購入時の商品温度を表示することで、好み温度の商品を購入することができ、販売を促進することができる。
【００３７】
（実施の形態３）
図５は本発明の実施の形態３による自動販売機の制御装置の機能ブロック図である。図６は、同実施の形態の動作を示すフローチャートである。
【００３８】
図５において、９は販売された商品の個数を計数するカウンタである。１０は販売個数の多い順に順位を決定する順位決定手段である。３ｄは商品別に順位を表示する順位表示手段である。４ｄは順位決定手段１０で決定した順位を順位表示手段３ｄに表示する演算制御部である。
【００３９】
以上のように構成された自動販売機の制御装置について、以下その動作を図６のフローチャートをもとにして説明する。
【００４０】
まず、９は商品が販売される毎に該当商品の個数を計数するカウンタである（ステップ１２）。商品選択釦が押されると（ステップ１３）、カウンタが計数を１増やし（ステップ１４）、順位決定手段１０でそれぞれの個数に基づいて販売個数が多い順に順位を決定する（ステップ１５）。決定した各商品の順位は、演算制御部４ｄが順位表示手段３ｄに表示する（ステップ１６）。
【００４１】
以上のように本実施の形態３の自動販売機の制御装置によれば、販売個数の多い順に表示することで、人気商品がわかり、販売を促進することができる。
【００４２】
（実施の形態４）
図７は本発明の実施の形態４による自動販売機の制御装置の機能ブロック図である。図８は、同実施の形態の動作を示すフローチャートである。
【００４３】
図７において、１１は商品選択手段が操作されたことにより、もう１本を無償で提供する抽選手段である。３ｅは抽選手段で当選した場合に前記複数の商品選択手段にそれぞれ対応させて設けられたあたりを表示するあたり表示手段である。４ｅは抽選手段１１であたりになった場合にあたりを演算制御部４ｅがあたり表示手段３ｅに表示する演算制御部である。
【００４４】
以下、その動作を図８のフローチャートで説明する。
【００４５】
商品選択釦が押されると（ステップ１７）、抽選手段１１は作動し（ステップ１８）、抽選手段１１が当たりの場合（ステップ１９）、当たり表示をあたり表示手段３ｅに行う（ステップ１９）。
【００４６】
以上のように本実施の形態４の自動販売機の制御装置によれば、あたりを表示することで、購入者にあたりであることを確実に知らせることができ、販売を促進することができる。
【００４７】
（実施の形態５）
図９は本発明の実施の形態５による自動販売機の制御装置の機能ブロック図である。図１０は、同実施の形態の動作を示すフローチャートである。
【００４８】
図９において、３ｆは占い内容を表示する占い表示手段である。４ｆは占い手段１２で占った内容を演算制御部４ｆが占い表示手段３ｆに表示する演算制御部である。
【００４９】
以下、その動作を図１０のフローチャートで説明する。
【００５０】
商品選択釦が押されると（ステップ２１）、占い手段１２は作動し（ステップ２２）、占い手段１２で占った内容を占い表示手段３ｆに表示する（ステップ２３）。
【００５１】
以上のように本実施の形態５の自動販売機の制御装置によれば、占いを表示することで、購入者の興味をそそり、販売を促進することができる。
【産業上の利用可能性】
【００５２】
以上のように、本発明にかかる自動販売機の制御装置は、商品選択釦に組み込まれた表示手段であるデジタル表示器に購入者が興味のある情報を表示することで、販売を促進することができるので、商品選択釦に組み込まれた表示手段を備えたあらゆる自動販売機器の用途に適用できる。
【図面の簡単な説明】
【００５３】
【図１】本発明による自動販売機の制御装置の実施の形態１のブロック図
【図２】同実施の形態の自動販売機の制御装置の動作を示すフローチャート
【図３】本発明による自動販売機の制御装置の実施の形態２のブロック図
【図４】同実施の形態の自動販売機の制御装置の動作を示すフローチャート
【図５】本発明による自動販売機の制御装置の実施の形態３のブロック図
【図６】同実施の形態の自動販売機の制御装置の動作を示すフローチャート
【図７】本発明による自動販売機の制御装置の実施の形態４のブロック図
【図８】同実施の形態の自動販売機の制御装置の動作を示すフローチャート
【図９】本発明による自動販売機の制御装置の実施の形態５のブロック図
【図１０】同実施の形態の自動販売機の制御装置の動作を示すフローチャート
【図１１】従来による自動販売機の制御装置のブロック図
【図１２】同実施の自動販売機の制御装置の動作を示すフローチャート
【符号の説明】
【００５４】
１    商品選択釦
２    操作端末（リモートコントロール）
３ａ  デジタル表示器
４ｂ，４ｃ，４ｄ，４ｅ，４ｆ  演算制御部
５    割引価格記憶手段
６    表示時刻記憶手段
７    タイマー
８    商品の温度を検出する商品温度検出手段
９    カウンタ
１０  順位決定手段
１１  抽選手段
１２  占い手段
【図１】
2010157175.tif 000003
【図２】
2010157175.tif 000004
【図４】
2010157175.tif 000005
【図６】
2010157175.tif 000006
【図８】
2010157175.tif 000007
【図１０】
2010157175.tif 000008
【図１２】
2010157175.tif 000009
【図３】
2010157175.tif 000010
【図５】
2010157175.tif 000011
【図７】
2010157175.tif 000012
【図９】
2010157175.tif 000013
【図１１】
2010157175.tif 000014